(57)【要約】【課題】落下等によって衝撃力が加わったとき、衝撃力を吸収し、性能の劣化、破損を防止することができるマイクロホンを得る。【解決手段】マイクカプセルを収納したマイクロホン筐体５，６と、マイクグリップ１と、マイクロホン筐体５，６のマイクグリップ１に対する角度を調整可能にするためにマイクロホン筐体５，６をマイクグリップ１に回転可能に結合する結合部と、を有する。結合部は、マイクロホン筐体５，６に衝撃などの外力が加わることによって撓み、衝撃、振動を吸収するショックマウント７，８を有している。ショックマウント７，８は、金属ハウジング５７、６７と、金属ハウジング５７、６７によって周囲を保持された弾性体５３、６３を有し、弾性体５３、６３の中心部でマイクロホン筐体５，６の軸を保持している。【選択図】図１
2011086981.tif 000002
【特許請求の範囲】
【請求項１】
マイクカプセルを収納したマイクロホン筐体と、
手で握ることができるマイクグリップと、
上記マイクロホン筐体の上記マイクグリップに対する角度を調整可能にするために上記マイクロホン筐体を上記マイクグリップに回転可能に結合する結合部と、を有してなり、
上記結合部は、上記マイクロホン筐体に衝撃などの外力が加わることによって撓み、衝撃、振動を吸収するショックマウントを有しているマイクロホン。
【請求項２】
ショックマウントは、金属ハウジングと、この金属ハウジングによって周囲を保持された弾性体を有し、この弾性体の中心部でマイクロホン筐体の軸を保持している請求項１記載のマイクロホン。
【請求項３】
弾性体の中心部には円筒形状の受け金を有し、この受け金によってマイクロホン筐体の軸を保持している請求項２記載のマイクロホン。
【請求項４】
マイクグリップは一端側に支持ベースを有し、この支持ベースに結合部を介してマイクロホン筐体が回転可能に結合されている請求項１記載のマイクロホン。
【請求項５】
支持ベースは軸部を有し、この軸部の周りに回転可能に管軸が嵌められ、この管軸の半径方向に結合部が結合され、マイクロホン筐体は上記軸部の周りに回転可能である請求項４記載のマイクロホン。
【請求項６】
支持ベースに左右一対のマイクロホン筐体がそれぞれ結合部を介して回転可能に結合されてステレオマイクが構成されている請求項１記載のマイクロホン。
【請求項７】
支持ベースの軸部と管軸との間には適度の回転抵抗が与えられている請求項５記載のマイクロホン。
【発明の詳細な説明】
【技術分野】
【０００１】
本発明は、マイクロホンに関するもので、特にマイクロホンの向く角度ないしは方向を調整可能であり、かつ、振動を吸収して振動がマイクカプセルに伝達されないように構造を工夫したものである。
【背景技術】
【０００２】
マイクロホンを携帯して使用する場合、マイクロホンを取り落とすことがあり、マイクロホンの心臓部ともいうべきマイクカプセルに衝撃力が加わってマイクカプセル、あるいは精密加工された構造部分が破損することがある。特に、携帯して使用することを想定しているマイクロホン、例えば、ＩＣレコーダと称されている小型で手持ち型のデジタル録音機に組み込まれているマイクロホンは、マイクロホンを意識することなく録音機とともに手軽に持ち運ぶことができるため、乱雑に取り扱われることが多く、取り落とされる可能性が高い。しかしながら、この種の従来のマイクロホンあるいはこれを組み込んだ録音機は、落下による衝撃からマイクカプセルを保護するための対策が十分ではない。
【０００３】
図６は、ＩＣレコーダと称される従来のデジタル録音機の例を示す。図６において、デジタル録音機本体１００は、上端に左右一対のマイクロホン１０１，１０２を備えていて、左右チャンネルの音声を同時に記録してステレオ音声を再生することができるようになっている。マイクロホン１０１，１０２は、録音機本体１００に回転可能に軸で支持されていて、録音機本体１００からの立ち上がり角度を調整することができる。マイクロホン１０１，１０２の中心軸線相互の開き角度を、９０度、１２０度というように調整することにより、再生音の立体効果を適宜調整することができる。録音機本体１００の上端には、マイクロホン１０１，１０２をまたいで、金属製のアーチ型ガード１０３が取り付けられている。録音機を取り落とした際に、マイクロホン１０１，１０２が床面に衝突する前にガード１０３が床面に衝突し、マイクロホン１０１，１０２に衝撃力が加わることを防ぐようになっている。このような構成のデジタル録音機の例が特許文献１に記載されている。
【０００４】
特許文献１に記載されているようなマイクロホンないしは録音機の例によれば、左右のマイクロホン１０１，１０２の前方にこれらをまたいで配置されているガード１０３が、音源からマイクロホン１０１，１０２に向かう音波の障害物となる。そのため、音源からの音波に忠実な音声信号に変換することができないという難点がある。ガード１０３を除去すると、取り落とした場合に、マイクロホン１０１，１０２に直接衝撃力が加わってマイクロホン１０１，１０２が破損する恐れがある。
【０００５】
なお、特許文献１に記載されているような、録音機に組み付けられたマイクロホンではなく、ケーブルを介して録音機などに接続される手持ちのマイクロホンがある。図７はこの種手持ちのステレオマイクロホンの例を示している。このマイクロホンは、円筒形状のグリップ１１０を有し、グリップ１１０の一端に一体に設けられた部分円弧状の支持ベース１１７の両端部に、左右のマイクロホン１１１，１１２が支持軸１１５，１１６によって固定されたものである。左右のマイクロホン１１１，１１２の中心軸線相互の開き角度は、立体効果が得られる適宜の角度に設定されて固定されている。
【０００６】
図７に示す従来のマイクロホンによれば、左右のマイクロホン１１１，１１２が支持ベース１１７に小径の支持軸１１５，１１６によって直接的に固定されている。また、特許文献１に記載されている録音機の例おけるガードは備えていない。そのため、マイクロホンを取り落とすと、マイクロホン１１１，１１２が直接床に衝突してマイクロホン１１１，１１２に直接衝撃力が加わることがある。マイクロホン１１１，１１２に加わる衝撃力は、小径の支持軸１１５，１１６に集中的に加わり、支持軸１１５，１１６が大きなダメージを受ける。さらに、この種のマイクロホンは、高品質の音声信号を得るために、グリップ１１０、支持ベース１１７、左右のマイクロホン１１１，１１２の部品が共振しないように、可能な限り金属材料で作製される。そのため、マイクロホンの重量がかなり重くなって上記衝撃力が大きくなり、マイクロホン１１１，１１２内部のマイクカプセルおよび精密加工された部品が破損する恐れがある。
【０００７】
図７に示す従来の上記問題点を解消するために、支持ベース１１７に、前後方向の投影面内においてマイクロホン１１１，１１２をカバーすることができる扇形の金属板を固定し、落下時に上記金属板に衝撃力が加わり、マイクロホン１１１，１１２には衝撃力が加わらないようにすることが考えられる。しかし、上記のような金属板を設けると、特許文献１記載の発明におけるガード１０３と同様に、上記金属板が音源からの音声を遮り、音源からの音波を忠実に音声信号に変換することができないという難点がある。
【先行技術文献】
【特許文献】
【０００８】
【特許文献１】特開２００７−１３３０３５号公報
【発明の概要】
【発明が解決しようとする課題】
【０００９】
本発明は、落下等によって衝撃力が加わったとき、衝撃力を吸収して、性能の劣化、構造の破損を防止することができるマイクロホンを提供することを目的とする。
【課題を解決するための手段】
【００１０】
本発明は、マイクカプセルを収納したマイクロホン筐体と、手で握ることができるマイクグリップと、上記マイクロホン筐体の上記マイクグリップに対する角度を調整可能にするために上記マイクロホン筐体を上記マイクグリップに回転可能に結合する結合部と、を有してなり、上記結合部は、上記マイクロホン筐体に衝撃などの外力が加わることによって撓み、衝撃、振動を吸収するショックマウントを有していることを最も主要な特徴とする。
【発明の効果】
【００１１】
マイクロホン筐体はマイクグリップに対して回転させることにより、マイクグリップに対するマイクロホン筐体の中心軸線方向を任意に調整することができる。マイクロホンが落下してマイクロホン筐体が床面に衝突すると、ショックマウントが撓み、衝撃や振動がマイクカプセルに伝達されるのを防止する。マイクロホン筐体はマイクグリップに対して回転することができるため、上記のようにマイクロホン筐体に衝撃力が加わるとマイクロホン筐体が回転し、これによっても衝撃、振動を吸収する効果がある。
【図面の簡単な説明】
【００１２】
【図１】本発明に係るマイクロホンの実施例を示す外観正面図である。
【図２】上記実施例の異なる作動態様を示す要部の拡大正面図である。
【図３】上記実施例のさらに異なる作動態様を示す要部の拡大正面図である。
【図４】上記実施例の内部構造を詳細に示す要部の平面断面図である。
【図５】上記内部構造の一部を抜き出して示す平面断面図である。
【図６】マイクロホンを備えた従来の録音機の例を示す外観正面図である。
【図７】従来のマイクロホンの別の例を示す正面図である。
【発明を実施するための形態】
【００１３】
以下、本発明に係るマイクロホンの実施例を、図１乃至図５を参照しながら説明する。
【実施例】
【００１４】
図１に示すマイクロホンは、マイクカプセルを収納した左右一対のマイクロホン筐体５，６と、手で握ることができるマイクグリップ１と、を有し、さらに、各マイクロホン筐体５，６のマイクグリップ１に対する角度を調整可能にするためにマイクロホン筐体５，６をマイクグリップ１に回転可能に結合するショックマウント７，８を有してなる結合部を有している。マイクグリップ１は、上端に左右方向に弧を描いて広がった支持ベース２を一体に有している。支持ベース２の左右両端部には支持軸３，４が設けられ、各支持軸３，４によって各マイクロホン筐体５，６が回転可能に支持されている。マイクグリップ１、支持ベース２は金属で製作されている。
【００１５】
上記のように、各マイクロホン筐体５，６は各支持軸３，４を中心に回転可能であり、図１に示す態様では、各マイクロホン筐体５，６の中心軸線相互の開き角度がほぼ９０度をなしている。図２に示す態様では、各マイクロホン筐体５，６の中心軸線相互の開き角度がほぼ１２０度をなしている。図３に示す態様は、各マイクロホン筐体５，６の中心軸線相互の開き角度が１８０度をなしている。図３に示す態様は、各マイクロホン筐体５，６を折りたたんだ不使用の態様である。図１に示す実施例は、左右一対のマイクロホン筐体５，６を有していてステレオマイクロホンを構成している。マイクロホン筐体５，６の中心軸線相互の開き角度を調整することにより、集音して音声信号に変換しこれを再生する音声の立体感を調整することができる。
【００１６】
次に、図４、図５を参照しながら上記マイクロホンの内部構造を説明する。図４、図５において、左右のマイクロホン筐体５，６は、それぞれマイクカプセルが組み込まれた内部空間５１，６１を有している。マイクカプセルは音波を音声信号に変換する電気音響変換器で、変換方式は任意である。例えば、コンデンサ型でも、ダイナミック型でもよい。各マイクロホン筐体５，６は金属からなり、それぞれの後端部に、円錐形に続く小径円筒状の軸５２，６２を有している。これらの軸５２，６２はショックマウント７，８に連結されている。
【００１７】
各ショックマウント７，８は、円筒形状の金属、例えばアルミニウムからなる金属ハウジング５７，６７と、この金属ハウジング５７，６７によって周囲を保持された弾性体５３，６３を有し、各弾性体５３，６３の中心部でマイクロホン筐体５，６の軸５２，６２を保持している。ただし、各弾性体５３，６３は中心部に円筒形状の受け金５８，６８を有し、この受け金５８，６８によってマイクロホン筐体５，６の軸５２，６２を保持している。図示の実施例では、各弾性体５３，６３はゴム板からなる。各弾性体５３，６３は金属ハウジング５７，６７の一端（前端）側内周に固定され、各金属ハウジング５７，６７の他端（後端）側内周には結合金具５４，６４が一体に嵌められている。各結合金具５４，６４は、後ろ側が円錐形状に絞られると共に小径の結合軸５５、６５が一体に形成されて後方に突出している。
【００１８】
前記支持ベース２に一体に設けられている支持軸３，４は、前記マイクグリップ１を垂直に立てた態様で水平方向に互いに平行なしていて、支持ベース２を境にしてその一面側と他面側にそれぞれ管軸５６，６６が嵌められている。管軸５６，６６は支持軸３，４の周りに、したがって、マイクグリップ１が垂直に立った態様で垂直面内おいて回転することができる。前記ショックマウント６，７を含む前記結合部の一部を構成する結合軸５５、６５は、支持軸３，４の上記管軸５６，６６にその半径方向に向けて結合され、マイクロホン筐体５，６は上記軸部３１，４１の周りに回転可能となっている。このようにして、各マイクロホン筐体５，６は、マイクグリップ１が垂直に立った態様で垂直面内おいて、また、支持ベース２で分離されてその前側と後ろ側で回転可能となっている。マイクロホン筐体５を左側マイクロホン筐体とすると、マイクロホン筐体６は右側マイクロホン筐体となり、ステレオマイクロホンを構成している。
【００１９】
以上説明した実施例は、マイクロホン筐体５，６のマイクグリップ１に対する角度を調整可能にするために、マイクロホン筐体５，６をマイクグリップ１に回転可能に結合する結合部を有し、この結合部は、マイクロホン筐体５，６に衝撃などの外力が加わることによって撓み、衝撃、振動を吸収するショックマウント７，８を有している。このショックマウント７，８は、金属ハウジング５７，６７と、この金属ハウジング５７，６７によって周囲を保持された弾性体５３，６３を有し、この弾性体５３，６３の中心部でマイクロホン筐体５，６の軸５２，６２を保持している。よって、上記実施例によれば、マイクロホンの落下などによりマイクロホン筐体５又は６に衝撃力や振動が加わったとすると、衝撃力や振動で弾性体５３，６３が撓み、弾性体５３，６３が衝撃力や振動を吸収するので、マイクロホン筐体５又は６内のマイクカプセル、あるいは精密加工された機械的構造部分の破損を防止することができる。
【００２０】
上記実施例はまた、マイクロホン筐体５，６を、ショックマウント７，８を含む結合部を介してマイクグリップ１に回転可能に結合している。したがって、上記のようにマイクロホンの落下などによりマイクロホン筐体５又は６に衝撃力や振動が加わると、マイクロホン筐体５又は６が回転することによっても、上記衝撃力や振動を吸収し、マイクロホン筐体５又は６内のマイクカプセル、あるいは機械的構造部分の破損防止に寄与することができる。支持ベース２と管軸５６，６６との結合部、より具体的には軸部３１，４１と管軸５６，６６との間に適度な回転抵抗を意図的に与えておけば、マイクカプセルや機械的構造部分に大きなダメージを与えない範囲で、衝撃力や振動を吸収することができる。
【００２１】
ショックマウント７，８は、上記のように振動も吸収することができるため、マイクグリップ１側からマイクロホン筐体５，６への振動の伝達が遮断され、マイクカプセルで電気音響変換された音声信号に、機械的振動に基づくノイズが混入することを防止する効果もある。
【００２２】
上記実施例によれば、マイクロホン筐体に衝撃力が加わることを防止するためのガードあるいは保護板の類を設けなくても、マイクロホン筐体に加わる衝撃力を吸収することができるため、上記ガードあるいは保護板の類を設けることによるマイクロホンとしての性能の悪化を回避することができる。
【産業上の利用可能性】
【００２３】
本発明に係るマイクロホンは、ステレオマイクロホンに適用することもできるし、モノラルのマイクロホンに適用することもできる。また、ＩＣレコーダのようなデジタル録音機、ビデオレコーダ、その他の音声機器に組み込んでもよいし、図示の実施例のように、単体のマイクロホンとして構成してもよい。
【符号の説明】
【００２４】
１    マイクグリップ
２    支持ベース
３    支持軸
４    支持軸
５    マイクロホン筐体
６    マイクロホン筐体
７    ショックマウント
８    ショックマウント
３１    軸部
４１    軸部
５２    軸
５３    弾性体
５５    結合軸
５６    管軸
５７    金属ハウジング
５８    受け金
６３    弾性体
６７    金属ハウジング
６８    受け金
【図１】
2011086981.tif 000003
【図２】
2011086981.tif 000004
【図３】
2011086981.tif 000005
【図４】
2011086981.tif 000006
【図５】
2011086981.tif 000007
【図６】
2011086981.tif 000008
【図７】
2011086981.tif 000009